(57)【特許請求の範囲】
【請求項１】
ウェブサーバが、
印刷物に出力されたコードと、前記コードを読み出す読み取り機によって実行されるコンテンツについてのマッピング情報が貯蔵された貯蔵部を具備し、
前記ウェブサーバが、前記読み取り機から所定のコードに関するマッピング情報の送信要請を受信し、
前記ウェブサーバが、前記読み取り機に前記所定のコードに関するマッピング情報のみを送信し、
前記読み取り機が前記印刷物に出力されたコードを読み出し、前記所定のコードに関するマッピング情報による前記コードに対応されるコンテンツを実行した場合、前記ウェブサーバが、前記読み取り機から実行されたコンテンツの情報を含むコンテンツ実行情報を受信し,
前記ウェブサーバが、前記読み取り機の販売者のサーバに前記コンテンツ実行情報を送信することをさらに含むことを特徴とするネットワーク上においてのコンテンツ管理方法。
【請求項２】
前記印刷物に出力された前記コードは、他の印刷物に重複して出力されないようにコード管理サーバから割り当てられたコードであることを特徴とする請求項１記載のネットワーク上においてのコンテンツ管理方法。
【請求項３】
印刷物に出力されたコードと、前記コードを読み出した読み取り機によって実行されるコンテンツのマッピング情報が貯蔵された貯蔵部と、
前記読み取り機から所定のコードに関するマッピング情報の送信要請を受信する受信部と、
前記読み取り機に前記所定のコードに関するマッピング情報のみを送信する送信部と、
前記読み取り機が前記印刷物に出力された前記コードを読み出し、前記所定のコードに関するマッピング情報による前記コードに対応されるコンテンツを実行する場合、前記受信部は前記読み取り機から実行されたコンテンツの情報を含むコンテンツ実行情報を受信し,
前記送信部は、前記読み取り機の販売者のサーバに前記コンテンツ実行情報を送信することを含むことを特徴とするウェブサーバ。
【請求項４】
前記印刷物に出力された前記コードは、他の印刷物に重複して出力されないようにコード管理サーバから割り当てられたコードであることを特徴とする請求項３に記載のウェブサーバ。
【発明の詳細な説明】
【技術分野】
【０００１】
本発明はネットワーク上においてのコンテンツ管理方法、及びそれに使用されるウェブサーバに関し、より詳細には、読み取り機が印刷物に出力されたコードを読み出す場合、読み取り機によって実行されるコンテンツを変更させて多様なコンテンツを使用できるようにすると同時に、読み取り機を通じた学習者の学習内容などの学習情報または製品活用情報を製品使用者及び製品販売者が獲得できるようにネットワーク上においてのコンテンツ管理方法、及びそれに使用されるウェブサーバに関する。
【背景技術】
【０００２】
最近、目に見えないコードの印刷がなされた教育用の本などの印刷物上において、コードが印刷された部分をペン形態の読み取り機によってスキャンすると、読み出されたコードに対応されるコンテンツとして、読み取り機に予め貯蔵されている音声ファイルが再生されることによって、教育的効果を提供する印刷物製品が多く活用されている。
【０００３】
しかし、従来技術によるコードが出力された印刷物を通じた学習システムは読み取り機に既に貯蔵されているコンテンツのみ実行できるという限界があり、読み取り機を通じた学習者の学習内容などの学習情報または製品活用情報を獲得することができないという問題点がある。
【発明の概要】
【発明が解決しようとする課題】
【０００４】
従って、本発明が解決しようとする課題は、読み取り機が印刷物に出力されたコードを読み出す場合、読み取り機によって実行されるコンテンツを多様なコンテンツに変更して使用できるようにするのと同時に、読み取り機を通じた学習者の学習内容などの学習情報または製品活用情報を製品使用者及び製品販売者が獲得できるようにネットワーク上においてのコンテンツ管理方法、及びそれに使用されるウェブサーバを提供することにある。
【課題を解決するための手段】
【０００５】
前記目的を達成するための本発明によるネットワークにおいてのコンテンツ管理方法は、ウェブサーバが、印刷物に出力されたコードと、前記コードを読み出す読み取り機によって実行されるコンテンツについてのマッピング情報が貯蔵された貯蔵部を具備し、前記ウェブサーバが、前記読み取り機から前記マッピング情報の送信要請を受信し、前記ウェブサーバが、前記読み取り機に前記マッピング情報を送信すること、を含む。
【０００６】
望ましくは、前記読み取り機が前記印刷物に出力されたコードを読み出し、前記マッピング情報による前記コードに対応するコンテンツを実行する場合、前記ウェブサーバが、前記読み取り機から実行されたコンテンツの情報を含むコンテンツ実行情報を受信することをさらに含む。
【０００７】
また、前記ウェブサーバが、前記読み取り機の販売者のサーバに前記コンテンツ実行情報を送信することをさらに含む。
【０００８】
また、前記印刷物に出力された前記コードは、他の印刷物に重複して出力されないようにコード管理サーバから割り当てられたコードであることを特徴とする。
【０００９】
一方、本発明によるウェブサーバは、印刷物に出力されたコードと、前記コードを読み出した読み取り機によって実行されるコンテンツのマッピング情報が貯蔵された貯蔵部と、前記読み取り機から前記マッピング情報の送信要請を受信する受信部と、前記読み取り機に前記マッピング情報を送信する送信部と、を含む。
【００１０】
望ましくは、前記読み取り機が前記印刷物に出力された前記コードを読み出し、前記マッピング情報による前記コードに対応されるコンテンツを実行する場合、前記受信部は前記読み取り機から実行されたコンテンツの情報を含むコンテンツ実行情報を受信することを特徴とする。
【００１１】
また、前記送信部は、前記読み取り機の販売者のサーバに前記コンテンツ実行情報を送信することを特徴とする。
【００１２】
また、前記印刷物に出力された前記コードは、他の印刷物に重複して出力されないようにコード管理サーバから割り当てられたコードであることを特徴とする。
【発明の効果】
【００１３】
本発明によると、読み取り機が印刷物に出力されたコードを読み出す場合に、読み取り機によって実行されるコンテンツを多様なコンテンツに変更して使用できる。
【００１４】
また、本発明によると、読み取り機を通じた学習者の学習内容などの学習情報または製品活用情報を製品使用者及び製品販売者が獲得できる。
【図面の簡単な説明】
【００１５】
【図１】本発明によるネットワーク上においてのコンテンツ管理システムの構成図である。
【図２】本発明によるネットワーク上においてのコンテンツ管理方法に使用されるウェブサーバの機能のブロック図である。
【図３】本発明によるネットワーク上においてのコンテンツ管理システムの動作原理を説明するフローチャート図である。
【発明を実施するための形態】
【００１６】
以下、図面を参照して本発明をより詳細に説明する。図面では、同一の構成要素はできる限り同一の符号を付与する。また、本発明に不要な公知の機能及び構成に関する詳細な説明は省略する。
【００１７】
図１は本発明によるネットワーク上においてのコンテンツ管理システムの構成図である。本発明においてのコンテンツは、印刷物２５０からコードを読み出す読み取り機５０によって実行される。図１を参照すると、本発明によるネットワーク上においてのコンテンツ管理システムはウェブサーバ１００、印刷物製作機２００、コード管理サーバ３００、販売者サーバ４００を含む。
【００１８】
コード管理サーバ３００は、外部から印刷物を製作する要請を受信する場合、相互に異なる印刷物のために、印刷物２５０に出力されるコードが既に使用されたコードと重複されないように、前の印刷物に使用されていないコードを製作要請された印刷物２５０に割り当てし、割り当てられたコードを印刷物製作機２００に送信する機能を遂行する。
【００１９】
一方、印刷物製作機２００は、コード管理サーバ３００から割り当てられたコードが印刷された印刷物２５０を製作し、印刷物２５０の製作が完了すると、印刷物製作情報をコード管理サーバ３００に送信する機能を遂行する。
【００２０】
ウェブサーバ１００は本発明においてのコンテンツを管理する機能を遂行するサーバとして機能する。具体的には、ウェブサーバ１００は、読み取り機５０によって実行されるコンテンツのマッピング情報を貯蔵する。読み取り機５０が印刷物２５０に出力されたコードを読み出したり、ウェブサーバ１００に該当するコードのマッピング情報を送信することを要請したりする場合、ウェブサーバ１００は読み取り機５０に送信の要請を受けたマッピング情報を送信する機能を遂行する。
【００２１】
また、読み取り機５０が印刷物２５０に出力されたコードを読み出し、当該コードは、当該コードに対応されるコンテンツを実行するものである場合、読み取り機５０は、実行されたコンテンツの情報を含むコンテンツ実行情報をウェブサーバ１００に送信する。読み取り機５０から受信されたコンテンツ実行情報を貯蔵した後、ウェブサーバ１００は、貯蔵されたコンテンツ実行情報を、一定の時間ごとに読み取り機５０の使用者に読み取り機５０を販売する販売者によって運用されるサーバである販売者サーバ４００に送信する。
【００２２】
一方、読み取り機５０で実行されたコンテンツは、読み取り機５０を販売する販売者の販売者サーバ４００に貯蔵されており、販売者によって定期的にアップデートされる。これによって、使用者は、自分の読み取り機５０を通じて販売者サーバ４００に接続して所望のコンテンツを検索し、検索されたコンテンツを自分の読み取り機５０にダウンロードして、所望のコンテンツを使用する。
【００２３】
他にも、販売者サーバ４００は、使用者に販売された読み取り機５０を使用するのに必要なデバイスドライバのダウンロード機能及び顧客支援サービス機能を提供する。
【００２４】
図２は本発明によるネットワーク上においてのコンテンツ管理方法に使用されるウェブサーバの機能を示すブロック図である。図２を参照すると、本発明によるネットワーク上においてのコンテンツ管理方法に使用されるウェブサーバ１００は、受信部１１０、貯蔵部１３０、及び送信部１５０を含む。
【００２５】
まず、ウェブサーバ１００の受信部１１０は、読み取り機５０からマッピング情報を送信する要請や、読み取り機５０によって実行されたコンテンツの情報を含むコンテンツ実行情報を受信する。
【００２６】
ウェブサーバ１００の貯蔵部１３０は、印刷物２５０に印刷されたコードと、これに該当するコードを読み出す読み取り機５０によって実行されたコンテンツのマッピング情報を貯蔵する。加えて、ウェブサーバ１００の貯蔵部１３０は、受信部１１０で受信されたマッピング情報や、コンテンツ実行情報を送信する要請を貯蔵する。
【００２７】
一方、ウェブサーバ１００の送信部１５０は貯蔵部１３０に貯蔵されたマッピング情報を読み取り機５０に送信し、販売者のサーバにコンテンツ実行情報を送信する。
【００２８】
図３は本発明によるネットワーク上においてのコンテンツ管理システムの動作原理を説明するフローチャート図である。図１乃至図３を参照して、本発明によるネットワーク上においてのコンテンツ管理システムの動作原理を説明する。まず、コード管理サーバ３００は、外部の管理者端末機（図示せず）から印刷物を製作する要請を受信する（Ｓ５００）。
【００２９】
コード管理サーバ３００には、既に印刷物２５０に割り当てられたコードの情報が貯蔵されている。印刷物を製作する要請を受信したコード管理サーバ３００が、要請された印刷物２５０にコードを割り当てるとき、コード管理サーバ３００は、重複して割り当てられて同じコードになることを防止するために、前の印刷物に割り当てられたコードを除外する。そして、コード管理サーバ３００は、印刷物製作機２００に、割り当てられたコードを送信する（Ｓ５１０）。
【００３０】
印刷物に割り当てられたコードをコード管理サーバ３００から受信する印刷物製作機２００は、割り当てられたコードが出力された学習用教材のような印刷物２５０を製作する（Ｓ５２０）。製作された印刷物２５０は、流通過程を経て、読み取り機５０を所持する使用者に届けられる。
【００３１】
一方、割り当てられたコードが出力された印刷物２５０を製作した印刷物製作機２００は、印刷物の種類、価額、規格などの情報を含む印刷物製作情報をコード管理サーバ３００に送信する。コード管理サーバ３００は、印刷物製作機２００から受信した印刷物製作情報に基づいて、既に割り当てられて印刷物２５０に出力されたコードの情報を更新する。それから、コード管理サーバ３００は、そこに更新された情報を貯蔵する。
【００３２】
一方、印刷物製作機２００は、上述した印刷物製作情報を、コード管理サーバ３００に送信するのと同様に、ウェブサーバ１００にも送信する（Ｓ５３０）。印刷物製作情報を受信したウェブサーバ１００は、下記の表１のように、該当する印刷物２５０に出力されたコードに対応するコンテンツの情報をマッピングするマッピングテーブルを、貯蔵部１３０に貯蔵する（Ｓ５４０）。
【００３３】
表１
0005897562.tif 000002
【００３４】
即ち、表１は、読み取り機５０が読み出したコードの情報が“００”である場合には、ファイル名が“鳥の鳴き声．mp3”であるコンテンツが読み取り機５０によって実行される。読み取り機５０が読み出したコードの情報が“０１”である場合には、ファイル名が“海の画像．avi”であるコンテンツが読み取り機５０によって実行される。
【００３５】
一方、読み取り機５０を流通業者から購入した使用者は、読み取り機５０を通じて販売者サーバ４００にアクセスし、販売者サーバ４００にアップロードされているコンテンツである“鳥の鳴き声．mp3”、“ 海の画像．avi”、“ 小川の水の声．mp3”、“ エッヘル塔の画像． avi”などのコンテンツを読み取り機５０のメモリにダウンロードする。
【００３６】
以後、使用者は、ウェブサーバ１００にアクセスして表１に示したようなマッピング情報を送信する要請し、これによって、ウェブサーバ１００の受信部１１０はマッピング情報を送信する要請を受信する（Ｓ５５０）。ウェブサーバ１００は、送信部１５０を通じて、貯蔵部１３０に貯蔵されているマッピング情報を読み取り機５０に送信する（Ｓ５６０）。
【００３７】
読み取り機５０は、ウェブサーバ１００からダウンロードしたマッピング情報をメモリに貯蔵する。以後、使用者は、読み取り機５０が、“００”、“０１”、“１０”、“１１”などのコード情報を意味するコードが印刷されている印刷物２５０から、コードを読み出させる。一方、本発明を実施形態によると、コードには、バーコード、ドットコード、線分コードなどの多様な形態のコードが使用されてもよい。
【００３８】
読み取り機５０によって読み出されたコードが“００”のコード情報を有するコードである場合、読み取り機５０は、販売者サーバ４００からダウンロードして読み取り機５０に貯蔵しており、メモリに貯蔵されたマッピング情報に対応された、ファイル名が“鳥の鳴き声．mp3”であるコンテンツを実行する。
【００３９】
また、本発明を実施するにおいて、コードが印刷された印刷物２５０上において、“００”のコード情報を有するコードが印刷されている部分には“鳥の絵”が共に描かれているようにすることが望ましい。
【００４０】
これによると、読み取り機５０を通じて使用者が鳥の絵をスキャンする場合、読み取り機５０が、ファイル名が“鳥の鳴き声．mp3”であるコンテンツを実行することで、使用者は鳥の鳴き声を聞けるようになる（Ｓ５７０）。
【００４１】
即ち、上述のように、ウェブサーバ１００に貯蔵されたマッピングテーブルに基づいて読み取り機５０で実行されるコンテンツが決定されるので、ウェブサーバ１００のマッピングテーブルを変えることのみで、同一の印刷物２５０によって実行されるコンテンツは多様に変更できる。
【００４２】
このように、マッピング情報によって読み取り機５０を通じてコンテンツが実行されると、読み取り機５０は、実行されたコンテンツ情報、コンテンツの実行時刻、読み取り機５０の製品シリアル番号などを含むコンテンツ実行情報をウェブサーバ１００に送信する。ウェブサーバ１００の受信部１１０は、コンテンツ実行情報を受信し、これをウェブサーバ１００の貯蔵部１３０に貯蔵する（Ｓ５８０）。
【００４３】
ウェブサーバ１００は、一定の時間ごとに、コンテンツ実行情報を販売者サーバ４００に送信する（Ｓ５９０）。
【００４４】
これにより、販売者サーバ４００の管理者は、それぞれの読み取り機５０によって実行されたコンテンツの情報、コンテンツの実行時刻及び頻度についての情報を確保でき、読み取り機５０や各種コンテンツの活用状況についての情報を分析でき、この分析結果は、今後の読み取り機５０の開発のための基礎情報として活用できる。
【００４５】
更に、各それぞれの読み取り機５０で実行されたコンテンツ、コンテンツの実行時刻及び頻度についての情報を、販売者サーバ４００が提供するウェブサイト上に掲示することで、読み取り機５０の購入者が自分の読み取り機５０の活用状況を確認することができる。
【００４６】
即ち、読み取り機５０子供に学習道具として提供した親は、ウェブサイトにアクセスすることで、自分の子供が、いつ、どんなコンテンツを、どの位の頻度で使用したかについての情報を得ることができる。したがって、親は、子供の学習状態を点検し、以後の教育計画を効果的に立てることができる。
【００４７】
以上、本発明の実施形態によって詳細に説明したが、本発明はこれに限定されず、本発明が属する技術分野において通常の知識を有する者であれば、本発明の思想と精神を離れることなく、本発明を修正または変更できる。
【符号の説明】
【００４８】
１００    ウェブサーバ
１１０    受信部
１３０    貯蔵部
１５０    送信部
２００    印刷物製作機
３００    コード管理サーバ
４００    販売者サーバ
【図１】
0005897562.tif 000003
【図２】
0005897562.tif 000004
【図３】
0005897562.tif 000005